(57)【要約】【課題】装置の様々な構成、ユーザの嗜好に応じて、参照画像の解析処理や補正処理の実行、非実行を，柔軟に切り替えて参照画像を作成することができる画像処理装置および画像処理装置の制御方法を提供することを目的とする。【解決手段】記録部へ印刷することを指示する印刷指示エリアと、メモリに記憶されている画像データと描画画像とを合成することを指示する合成指示エリアとを具備し、印刷制御を指示する指示シートを印刷する指示シート印刷手段と、上記画像データに画像解析処理を行うか否かを判定する判定手段と、上記画像データに画像解析処理を行う解析手段と、上記判定手段が画像解析処理を行うと判定すると、画像解析処理を行った画像データを、上記指示シートに印刷する印刷制御手段と有する画像処理装置である。【選択図】図７
2008028962.tif 000002
【特許請求の範囲】
【請求項１】
画像データを記憶するメモリと；
記録部へ印刷することを指示する印刷指示エリアと、上記メモリに記憶されている画像データと描画画像とを合成することを指示する合成指示エリアとを具備し、印刷制御を指示する指示シートを印刷する指示シート印刷手段と；
上記画像データに画像解析処理を行うか否かを判定する判定手段と；
上記画像データに画像解析処理を行う解析手段と；
上記判定手段が画像解析処理を行うと判定すると、画像解析処理を行った画像データを、上記指示シートに印刷する印刷制御手段と；
を有することを特徴とする画像処理装置。
【請求項２】
請求項１において、
上記判定手段は、ユーザが設定した設定値を判定基準として使用する手段であることを特徴とする画像処理装置。
【請求項３】
請求項１において、
上記解析手段は、上記画像データの画像サイズ、解像度、ヒストグラム、タグ、ファイル情報、パターン認識のうちの少なくとも１つを解析する手段であることを特徴とする画像処理装置。
【請求項４】
画像データを記憶するメモリと；
記録部へ印刷することを指示する印刷指示エリアと、上記メモリに記憶されている画像データと描画画像とを合成することを指示する合成指示エリアとを具備し、印刷制御を指示する指示シートを印刷する指示シート印刷手段と；
上記画像データに画像補正処理を行うか否かを判定する判定手段と；
上記画像データに画像補正処理を行う補正手段と；
上記判定手段が画像補正処理を行うと判定すると、画像補正処理を行った画像データを、上記指示シートに印刷する印刷制御手段と；
を有することを特徴とする画像処理装置。
【請求項５】
請求項４において、
上記判定手段は、ユーザが設定した設定値を判定基準として使用する手段であることを特徴とする画像処理装置。
【請求項６】
請求項４において、
上記補正手段は、上記画像データの画像サイズ、解像度、濃度、輝度、彩度、トリミングのうちの少なくとも１つを補正する手段であることを特徴とする画像処理装置。
【請求項７】
画像データを記憶するメモリと；
記録部へ印刷を指示する印刷指示エリアと、上記メモリに記憶されている画像データと描画画像とを合成するための合成指示エリアとを具備し、印刷制御を指示する指示シートを印刷する指示シート印刷手段と；
上記画像データに画像解析処理を行うか否かを判定する解析判定手段と；
上記画像データに画像補正処理を行うか否かを判定する補正判定手段と；
上記解析判定手段が画像解析処理を行うと判定すると、上記画像データに画像解析処理を行った後に、上記指示シートに上記画像データを印刷し、上記補正判定手段が画像補正処理を行うと判定すると、上記画像データに画像補正処理を行った後に、上記指示シートに上記画像データを印刷する印刷制御手段と；
を有することを特徴とする画像処理装置。
【請求項８】
請求項７において、
上記補正判定手段は、上記画像解析処理の結果を判定基準として使用することを特徴とする画像処理装置。
【請求項９】
請求項７において、
上記補正判定手段は、上記画像解析処理の結果と、上記ユーザが設定した設定値との両方を判定基準として使用することを特徴とする画像処理装置。
【請求項１０】
請求項７において、
上記画像解析処理の結果、上記画像補正処理の結果のうちの少なくとも１つの結果を、ユーザに通知する通知手段を有することを特徴とする画像処理装置。
【請求項１１】
請求項１０において、
上記通知手段は、ＬＣＤによる表示、上記描画合成印刷指示シートへの印刷のうちの少なくとも一方によって通知する手段であることを特徴とする画像処理装置。
【請求項１２】
記録部へ印刷することを指示する印刷指示エリアと、画像データを記憶するメモリに記憶されている画像データと描画画像とを合成することを指示する合成指示エリアとを具備し、印刷制御を指示する指示シートを印刷する指示シート印刷工程と；
上記画像データに画像解析処理を行うか否かを判定する判定工程と；
上記画像データに画像解析処理を行う解析工程と；
上記判定工程で画像解析処理を行うと判定すると、画像解析処理を行った画像データを、上記指示シートに印刷する印刷制御工程と；
を有することを特徴とする画像処理装置の制御方法。
【請求項１３】
記録部へ印刷することを指示する印刷指示エリアと、画像データを記憶するメモリに記憶されている画像データと描画画像とを合成することを指示する合成指示エリアとを具備し、印刷制御を指示する指示シートを印刷する指示シート印刷工程と；
上記画像データに画像補正処理を行うか否かを判定する判定工程と；
上記画像データに画像補正処理を行う補正工程と；
上記判定工程で画像補正処理を行うと判定すると、画像補正処理を行った画像データを、上記指示シートに印刷する印刷制御工程と；
を有することを特徴とする画像処理装置の制御方法。
【請求項１４】
記録部へ印刷を指示する印刷指示エリアと、画像データを記憶するメモリに記憶されている画像データと描画画像とを合成するための合成指示エリアとを具備し、印刷制御を指示する指示シートを印刷する指示シート印刷工程と；
上記画像データに画像解析処理を行うか否かを判定する解析判定工程と；
上記画像データに画像補正処理を行うか否かを判定する補正判定工程と；
上記解析判定工程で画像解析処理を行うと判定すると、上記画像データに画像解析処理を行った後に、上記指示シートに上記画像データを印刷し、上記補正判定工程が画像補正処理を行うと判定すると、上記画像データに画像補正処理を行った後に、上記指示シートに上記画像データを印刷する印刷制御工程と；
を有することを特徴とする画像処理装置の制御方法。
【発明の詳細な説明】
【技術分野】
【０００１】
本発明は、シートスキャン方式で用いる描画合成印刷指示シートを印刷する画像処理装置および画像処理装置の制御方法に関する。
【背景技術】
【０００２】
最近、スキャナ部と記録部とを備えた複合機（以下、「ＭＦＰ」という）が家庭に普及し、この普及に伴って、ＭＦＰの多機能化が進んでいる。たとえば、コピーやＰＣプリント、ＰＣスキャン等のＭＦＰの基本機能に加えて、フィルムスキャン、フィルムコピー、デジタルカメラダイレクトプリント等、いわゆる写真プリントを目的とする機能が多く提案されている。
【０００３】
この結果、デジタルスチルカメラや銀塩カメラで撮影した写真画像を、家庭で容易に印刷する手軽なホームＤＰＥが実現しつつある。この延長上で、手軽なホームＤＰＥの機能拡張として、写真をそのままプリントするに留まらず、トリミングやフレーム合成等の加工を行うような、より高度な写真プリント機能も提案され始めた。
【０００４】
さらに、ユーザが特定のシートに手書きした描画画像と、ＭＦＰに挿入されているメモリカード等に記録されている画像ファイルとを、レイアウトで合成して印刷する描画合成印刷機能も提供されている。
【０００５】
この特定のシートとして、描画合成印刷指示シートの描画指示エリアに、描画と合成する画像データを参照画像として印刷した描画合成印刷シートに関する提案がなされている（たとえば、特許文献１参照）。これによって、ユーザは、描画合成印刷指示シートに描画する描画画像と、合成する画像データとの位置関係を容易に理解することができる。
【特許文献１】特開２００６−９４３８５号公報
【発明の開示】
【発明が解決しようとする課題】
【０００６】
一方で、特許文献１に記載されているように、ユーザが記入する合成描画指示エリアに参照画像を印刷するためには、合成描画指示エリアにレイアウトされているユーザが記入した描画画像と参照画像とを、読み取った後に分離する処理が必要である。
【０００７】
そこで、たとえば、参照画像の濃度を落とし、閾値以上の濃度のみを描画画像であると定義して抽出する方法が、先の特許文献１に開示されている。
【０００８】
他にも、参照画像に特殊な画像補正、たとえば輪郭抽出等の補正処理を行い、描画画像との分離処理精度を高める手段も考えられる。
【０００９】
しかし、描画合成印刷指示シートにレイアウトする参照画像について、一律に任意の画像補正をかけた場合、描画合成印刷指示シートに印刷される参照画像は、そのオリジナル画像と異なることがある。このように、参照画像がそのオリジナル画像と異なると、ユーザによっては、描画画像の記入作業時に、参照画像を認識することが難しくなる。
【００１０】
また、様々な画像補正処理種別の中から、参照画像に行う最適な画像補正を選択するために、参照画像データについて解析処理を前もって行うことが望ましいことがある。
【００１１】
しかし、画像データの解析処理は、その処理内容によっては、実行できない場合や、処理に時間がかかる場合がある。
【００１２】
本発明は、装置の様々な構成、ユーザの嗜好に応じて、参照画像の解析処理や補正処理の実行、非実行を、柔軟に切り替えて参照画像を作成することができる画像処理装置および画像処理装置の制御方法を提供することを目的とする。
【００１３】
また、本発明は、装置の構成とユーザの嗜好とに、より合致した描画合成印刷指示シートを印刷することができる画像処理装置および画像処理装置の制御方法を提供することを目的とするものである。
【課題を解決するための手段】
【００１４】
本発明は、記録部へ印刷することを指示する印刷指示エリアと、上記メモリに記憶されている画像データと描画画像とを合成することを指示する合成指示エリアとを具備し、印刷制御を指示する指示シートを印刷する指示シート印刷手段を有する。また、本発明は、画像データを記憶するメモリと、上記画像データに画像解析処理を行うか否かを判定する判定手段と、上記画像データに画像解析処理を行う解析手段とを有する。さらに、本発明は、上記判定手段が画像解析処理を行うと判定すると、画像解析処理を行った画像データを、上記指示シートに印刷する印刷制御手段と有する画像処理装置である。
【発明の効果】
【００１５】
本発明によれば、装置の様々な構成、ユーザの嗜好に応じて、参照画像の解析処理や補正処理の実行、非実行を、柔軟に切り替えて参照画像を作成することができるという効果を奏する。
【発明を実施するための最良の形態】
【００１６】
発明を実施するための最良の形態は次の実施例である。
【実施例１】
【００１７】
図１は、本発明の実施例１であるＭＦＰ（画像処理装置）１００を示す外観図である。
【００１８】
ＭＦＰ１００は、表示部１と、操作部２と、カードインタフェース３と、読取部４と、記録部５とを有する。
【００１９】
図１（ａ）に示すように、通常は、読取部４、記録部５を閉じた状態で設置する。そして、コピーするときや、実施例１のシートスキャン方式による描画合成印刷を実行するときに、図１（ｂ）に示すように、読取部４、記録部５を開き、ユーザが所望する機能を実行する。
【００２０】
図２は、ＭＦＰ１００の構成を示すブロック図である。
【００２１】
図1に示す部材と同じ部材には、同一の符号を付してある。
【００２２】
ＭＦＰ１００は、表示部１と、操作部２と、カードインタフェース３と、読取部４と、記録部５とを有する。また、その他に、ＣＰＵ１０と、ＲＯＭ１１と、ＲＡＭ１２と、不揮発性ＲＡＭ１３と、画像処理部１４と、駆動部１５と、センサ部１６とを有する。
【００２３】
ＣＰＵ１０は、ＭＦＰ１００が備える様々な機能を制御し、操作部２における操作に従い、ＲＯＭ１１に記憶されている画像処理のプログラムを実行する。ＲＯＭ１１は、ＭＦＰ１００の制御命令プログラム等を格納している。
【００２４】
読取部４は、ＣＣＤを備え、このＣＣＤは、原稿画像を読み取り、赤（Ｒ）、緑（Ｇ）および青（Ｂ）色のアナログ輝度データを出力する。なお、読取部４として、ＣＣＤの代わりに、密着型イメージセンサ（ＣＩＳ）を使用するようにしてもよい。
【００２５】
また、読取部４は、後述する描画合成印刷指示シートの読み取りにも使用される。
【００２６】
カードインタフェース３は、たとえばデジタルスチルカメラで撮影され、メモリカード等に記録されている画像データを、操作部２の操作に応じて読み込む。
【００２７】
なお、カードインタフェース３を介して読み込まれた画像データの色空間は、必要ならば、デジタルスチルカメラの色空間（たとえばＹＣｂＣｒ）から、標準的なＲＧＢ色空間（たとえばＮＴＳＣ−ＲＧＢやｓＲＧＢ）に変換される。また、画像データを包括する画像ファイルに含まれるヘッダ情報に基づいて、読み込まれた画像データは、有効な画素数への解像度変換等、アプリケーションに必要な様々な処理が必要に応じて施される。
【００２８】
画像処理部１４において、画像解析、サムネイル作成、サムネイル補正、出力画像補正等の画像処理が行われ、これらの画像処理によって得られた印刷データは、ＲＡＭ１２に格納される。ＲＡＭ１２に格納された印刷データが、記録部５で記録する場合に必要な所定量に達すると、記録部５が記録動作を実行する。
【００２９】
なお、上記画像処理では、記録用紙サイズや記録用紙タイプ、日付を付与する／しない、フチなし印刷する／しない、等、様々な印刷設定によって、異なる印刷データが作成される。
【００３０】
また、不揮発性ＲＡＭ１３は、バッテリバックアップされたＳＲＡＭ等であり、ＭＦＰ１００に固有のデータ等を記憶する。
【００３１】
操作部２は、記憶媒体に記憶された画像データを選択し、記録をスタートするために、フォトダイレクト印刷スタートキー、モノクロコピー時やカラーコピー時におけるモノクロコピースタートキー、カラーコピースタートキーを有する。また、操作部２は、カラーコピースタートキー、コピー解像度や画質等のモードを指定するモードキー、コピー動作等を停止するためのストップキー、コピー数を入力するテンキーや登録キー、印刷する画像ファイル選択手段を指定するカーソルキー等を有する。ＣＰＵ１０は、これらのキーの押下状態を検出し、この押下状態に応じて、各部を制御する。
【００３２】
表示部１は、ドットマトリクスタイプの液晶表示部（ＬＣＤ）とＬＣＤドライバとを備え、ＣＰＵ１０の制御に基づいて、各種の表示を行う。
【００３３】
記録部５は、インクジェット方式のインクジェットヘッド、汎用ＩＣ等によって構成され、ＣＰＵ１０の制御によって、ＲＡＭ１２に格納されている記録データを読み出し、ハードコピーとして印刷出力する。
【００３４】
駆動部１５は、読取部４、記録部５のそれぞれの動作において、給排紙ローラを駆動するためのステッピングモータと、ステッピングモータの駆動力を伝達するギヤと、ステッピングモータを制御するドライバ回路等によって構成されている。
【００３５】
センサ部１６は、記録紙幅センサ、記録紙有無センサ、原稿幅センサ、原稿有無センサ、記録媒体検知センサ等によって構成されている。ＣＰＵ１０は、これらセンサから得られた情報に基づいて、原稿と記録紙との状態を検知する。
【００３６】
なお、ＭＦＰ１００は、図２に示す構成であるが、たとえば、ＭＦＰ１００の代わりに、表示部１を備えないＭＦＰであってもよく、その構成には限定されない。
【００３７】
ＣＰＵ１０とＲＯＭ１１とは、画像データに画像解析処理を行うか否かを判定する画像解析処理判定手段の例である。また、この画像解析処理手段は、上記画像データの画像サイズ、解像度、ヒストグラム、タグ、ファイル情報、パターン認識のうちの少なくとも１つを解析する手段である。
【００３８】
次に、実施例１の動作の概要について説明する。
【００３９】
図３は、実施例１の動作の概要を示す図である。
【００４０】
シートスキャン方式による描画合成印刷機能は、ＭＦＰ１００に接続されているメモリカードに記録されている画像データ２２と、描画合成印刷指示シートＳＨ１に手書き描画された描画画像とを合成印刷して合成印刷結果２３を得ることを目的とする。このために、描画合成印刷指示シートＳＨ１と、操作部２とからの印刷制御指示命令に従って、画像処理部１４で作成された印刷データを、記録部５が印刷することによって、描画合成印刷機能を実現する。
【００４１】
上記実施例の主たる目的は、描画合成印刷指示シートＳＨ１の機能向上である。
【００４２】
次に、描画合成印刷指示シートについて説明する。
【００４３】
図４は、ＭＦＰ１００が印刷する描画合成印刷指示シートＳＨ１を模式的に示す図である。
【００４４】
描画合成印刷指示シートＳＨ１は、たとえば、Ａ４サイズの記録紙にレイアウトされた印刷物である。
【００４５】
まず、描画合成印刷指示シートＳＨ１の責務について説明する。描画合成印刷指示シートＳＨ１は、描画合成印刷を行うにあたって必要な設定を、シートスキャン方式によって実行するためのものである。描画合成印刷指示シートＳＨ１が指示する内容は、次の２つに大別される。すなわち、第１の指示は、記録部５が印刷データを印刷するために必要な印刷制御の内容を指示する印刷制御指示である。そして、第２の指示は、描画画像の合成処理を含めた画像処理部１４が印刷データを作成するために必要な画像処理の内容を指示する画像処理指示である。
【００４６】
なお、実施例１では、上記画像処理を記録部５が実行し、上記印刷制御を画像処理部１４が実行するが、これらの処理を担当するモジュールについては、特に限定しない。たとえば、画像処理指示の内容を、記録部５が実行するようにしてもよい。
【００４７】
次に、描画合成印刷指示シートＳＨ１の構成について説明する。
【００４８】
描画合成印刷指示シートＳＨ１は、印刷指示エリア３１と、バーコードエリア３２と、合成描画指示エリア３３とを有する。
【００４９】
印刷指示エリア３１は、上記印刷制御指示と、上記画像処理指示とを、マークによって入力するエリアである。ここで指示できる印刷制御指示、画像処理指示は、ＭＦＰ１００の記録部５の仕様と、画像処理部１４の仕様とに依存する。
【００５０】
したがって、ユーザは予め、ＭＦＰ１００の仕様に合致して与えられた選択肢の中から、所望の設定を選ぶ方法に適したマークシート方式を採用している。具体的には、実施例１では、印刷指示エリア３１の「用紙設定」項目では、はがきサイズ、Ｌ判サイズ、特殊メディアサイズのうちから、１つを選択できる仕様にしている。さらに、記録用紙のメディアタイプとして、普通紙、フォト紙（写真専用紙）の区別を選択できる仕様にしている。
【００５１】
また、印刷指示エリア３１の「効果設定」の項目として、印刷する画像の効果処理に関する選択肢が提供されている。実施例１では、トリミング、逆光補正、ノイズ除去、日付、モノトーン、おまかせ補正のうちの１つを選択できる仕様としている。
【００５２】
さらに、実施例１は、印刷指示エリア３１の「レイアウト設定」の項目として、下記３つのレイアウト項目をもつ。すなわち、参照画像と描画画像とを上下に分離する第１レイアウトと、参照画像と描画画像とを合成する第２レイアウトと、参照画像と描画画像とを合成し、かつ、描画画像中の閉エリアの内側を白く塗りつぶす第３レイアウトとである。
【００５３】
ただし、上記実施例では、印刷指示エリア３１で設定する印刷指示の内容については、限定していない。たとえば、「用紙設定」や「効果設定」は、実施例１以外の設定内容であってもよく、「レイアウト設定」を、印刷指示エリア３１から常に削除するようにしてもよい。
【００５４】
バーコードエリア３２は、印刷指示エリア３１で指定された画像処理指示と印刷制御指示と以外に、合成印刷に必要な情報が含まれている。たとえば、実施例１では、描画画像と合成するための参照画像は、既に決定されているので、バーコードエリア３２には、決定されている参照画像番号または参照画像のファイルパス情報が記録されている。なお、上記実施例では、バーコードの形式について特に限定しない。
【００５５】
また、上記実施例では、印刷指示エリア３１とバーコードエリア３２とのどちらに、画像処理命令と印刷制御命令とを含めるかについは、特に限定しない。
【００５６】
合成描画指示エリア３３は、参照画像に合成する描画画像を書き込むエリアである。実施例１では、合成描画指示エリア３３に対してユーザが描画する際に、描画画像と参照画像との位置関係を把握しやすいように、合成描画指示エリア３３に参照画像を印刷する。
【００５７】
上記のように、実施例１では、描画合成印刷指示シートＳＨ１は、印刷指示エリア３１のマーク、バーコードエリア３２のバーコード、合成描画指示エリア３３の描画画像によって、合成印刷を指示することができる。
【００５８】
なお、実施例１では、描画合成印刷指示シートＳＨ１の指示手段については、限定しない。たとえば、実施例１では、描画合成印刷指示シートＳＨ１の印刷指示エリアでは、マークシート方式を採用しているが、この代わりに、たとえばＯＣＲ解析方式によって、ユーザが記入した数字等から、印刷制御指示を判別するようにしてもよい。
【００５９】
さらに、実施例１では、印刷制御または画像処理を指示する指示経路について、限定していない。たとえば、実施例１では、印刷制御指示、画像処理指示は、描画合成印刷指示シートＳＨ１経由でＭＦＰ１００に受け付けられる。しかし、上記印刷制御指示や画像処理指示については、ＭＦＰ１００の操作部２からのキー入力によって指示される構成であってもよい。また、印刷制御指示、画像処理指示は、必ずしもＭＦＰ１００装置内で発行する必要はなく、たとえば、ＵＳＢインタフェースで接続されているデジタルスチルカメラ等の経由で、印刷制御指示、画像処理指示が発行されるようにしてもよい。
【００６０】
次に、描画合成印刷指示シートＳＨ１の合成描画指示エリアに印刷される参照画像について詳細に説明する。参照画像は、メモリカード画像データ２２から任意に選択される画像である。
【００６１】
図５は、参照画像の様々な形態について説明する模式図である。
【００６２】
参照画像データ４０は、オリジナル画像データであり、メモリカード画像データ２２のオリジナル画像データである。ここで、参照画像は、描画合成印刷指示シートＳＨ１の合成描画指示エリア３３において、描画画像と参照画像との位置関係を把握するために印刷される。したがって、参照画像４０を、そのまま合成描画指示エリア３３に印刷すると、濃度が高い等の理由によって、ユーザが描画する行為の妨げになることが懸念される。また、合成描画指示エリア３３に記入した描画画像と、印刷されている参照画像とを分離し、描画画像だけを抽出する抽出処理に対しても好ましくない。
【００６３】
したがって、描画合成印刷指示シートＳＨ１の合成描画指示エリア３３に印刷する参照画像は、濃度を落とし、輪郭のみを残す等の画像補正がされていることが望ましい。
【００６４】
参照画像データ４１は、参照画像データ４０の濃度を落とした参照画像データである。
【００６５】
参照画像データ４１のように、濃度を落とした参照画像を合成描画指示エリア３３に印刷すれば、ユーザは描画する画像と合成する参照画像との位置関係を把握しつつも、参照画像データ４１の濃度が低い。したがって、参照画像データ４１と描画画像とを区別しやすいという効果を期待できる。また、描画合成印刷指示シートＳＨ１を解析して描画画像のみを抽出する際に、印刷されている参照画像データ４１の濃度が低いので、描画画像の抽出処理精度が高くなることを期待することができる。
【００６６】
しかし、メモリカード画像データ２２は、様々な画像の特徴があり、参照画像データ４１のように、濃度を落とす以外にも、状況に応じてさらに別の画像補正を行うことが好ましい場合がある。
【００６７】
たとえば、夜景の参照画像データ４２に対して、参照画像データ４１と同様に濃度を低くする処理を行った場合、参照画像データ４３が作成される。
【００６８】
参照画像データ４３は、濃度が低くなってはいるが、オリジナルの参照画像データ４２は、夜景のために背景の塗りつぶしエリアが多く、参照画像データ４３においてもその影響から、濃度が薄くなったとはいえ、塗りつぶしエリアが多いことに変わりはない。ここで、上記のように、描画画像の記入のしやすさ、描画画像の抽出のしやすさを考慮すると、参照画像の塗りつぶしエリアは少ないほうが好ましい。
【００６９】
そこで、参照画像データ４２にネガポジ反転を行った参照画像データ４４を作成し、その参照画像データ４４に、濃度を落とす処理を行うと、参照画像データ４５が作成される。参照画像データ４５は、オリジナル画像の画像イメージを残しつつ、塗りつぶし部分が少ない特徴を有し、参照画像データ４３よりも描画印刷指示シートに印刷するには好ましい画像である。
【００７０】
しかし、参照画像データ４４を作成するネガポジ反転処理を常に行うべきではない。参照画像４０のように、ポジ傾向の画像データには、ネガポジ反転処理を行わず、参照画像データ４２のようなネガ傾向の画像データにのみ、ネガポジ反転処理を行うべきである。
【００７１】
したがって、メモリカードから任意で選択されるメモリカード画像データ２２を参照画像として使用する場合、参照画像について、ネガポジ反転すべきかどうかを判定するための画像の解析処理が必要である。そして、画像の解析処理結果によっては、参照画像をより好ましい状態にするための画像補正処理が必要である。
【００７２】
一方で、上記画像解析処理や画像補正処理は、必ず行わないと描画合成機能が成立しなくなるというものではない。ネガポジ反転や輪郭抽出された参照画像を好まないユーザについても考慮する必要がある。
【００７３】
したがって、図５で説明した参照画像４０〜４５は、ユーザの嗜好やＭＦＰ１００のスペック内容、機能仕様等によって柔軟に対応を切替えることができることが重要である。
【００７４】
すなわち、実施例１は、画像解析処理と、画像補正処理とを、ユーザの設定や装置のスペック、機能仕様によって柔軟に切り替えることができる画像処理装置の例である。
【００７５】
図６は、実施例１において、シートスキャン方式の描画合成印刷の処理開始から処理終了までの全体的な動作を示すフローチャートである。
【００７６】
シートスキャン方式の描画合成印刷処理を大別すると、次のようになる。すなわち、描画合成印刷指示シートＳＨ１の作成（Ｓ１０）、描画合成印刷指示シートＳＨ１の記入（Ｓ２０）、描画合成印刷指示シートＳＨ１の解析、印刷（Ｓ３０）である。
【００７７】
実施例１の主たる特徴は、描画合成印刷指示シートＳＨ１の作成（Ｓ１０）における処理であるが、Ｓ２０、Ｓ３０の詳細な動作についても説明する。
【００７８】
＜描画合成印刷指示シートＳＨ１の作成（Ｓ１０）＞
まず、ＭＦＰ１００は、シートスキャン方式の描画合成印刷を行うために、描画合成印刷指示シートＳＨ１を作成する。その一連の処理Ｓ１１〜Ｓ１４を＜描画合成印刷指示シートＳＨ１の作成（Ｓ１０）＞ステップと定義する。
【００７９】
まず、Ｓ１１で、描画画像と合成したい画像データとを選択する。カードインタフェース３に接続されているメモリカードに記憶されている画像データ２２が、操作部２、表示部１を介して、指定され、決定される。そして、選択された画像データ２２は、描画合成指示シートＳＨ１に参照画像として印刷するために画像データを必要とするので、Ｓ１２で、参照画像データ読み出す。
【００８０】
なお、実施例１では、参照画像データ（メモリカード画像データ）２２のフォーマットおよびファイルパスについては、限定していない。実施例１では、カードインタフェースに接続されているメモリカード内の画像データを、参照画像の候補として選択する仕様である。しかし、たとえば、任意の原稿を読取部４から読み取ることによって作成された画像データを、描画画像と合成する参照画像のデータであるとする仕様でもよい。
【００８１】
Ｓ１２で読み出された参照画像データを用いて、Ｓ１３で、描画合成印刷指示シートＳＨ１用の参照画像データを作成する。
【００８２】
図７は、実施例１における描画合成印刷指示シートＳＨ１用の参照画像データ作成処理（Ｓ１３）を詳細に示すフローチャートである。
【００８３】
まず、Ｓ４１で、参照画像データを読み出す。この動作は、図６に示すＳ１２と同等である。
【００８４】
次に、Ｓ４２で、参照画像データの解析をする必要があるか否かを判定する（解析処理判定を行う）。この解析処理判定の基準は、実施例１では、ユーザからの指定とする。
【００８５】
図８は、実施例１において使用する解析問合せ画面、補正問合せ画面、解析結果通知画面等の例を示す図である。
【００８６】
解析問合せ画面５０は、参照画像の解析を行うか否かをユーザに選択させる表示画面例であり、ここでの選択結果を解析処理判定基準とする。
【００８７】
ここで、実施例１では、画像解析判定（Ｓ４２）の基準について限定しない。たとえば、ＭＦＰ１００に予め設定されているデフォルト値に従って、解析処理判定を行うようにしてもよい。この場合、ＭＦＰ１００の仕様に従って、任意の機種ごとに参照画像解析を行うか否かが、予め決められる。
【００８８】
また、画像解析処理判定（Ｓ４２）の基準は、その処理を実行するタイミングによって動的に定めるようにしてもよい。たとえば、解析処理に必要なメモリを確保することができなければ、画像解析処理判定において「解析しない」と、自動的に判定するようにしてもよい。
【００８９】
なお、画像解析判定（Ｓ４２）の判定結果には、どのような画像解析を行うかの指定も含まれる。
【００９０】
Ｓ４２で画像解析を行う旨の判定がされると、Ｓ４３で、参照画像データを解析する。解析内容は、Ｓ４２の画像解析判定の結果に従う。実施例１では、参照画像データのヒストグラム解析を行う。ヒストグラム解析の目的は、参照画像データのネガポジ傾向を判定することである。具体的には、ヒストグラム解析結果から、閾値以上の値をとる輝度成分が、解析した総画素数のうちに占める割合について計算する。これによって、たとえば任意の閾値以上の輝度成分を有する画素が、ヒストグラム対象全画素のうちの半分以上を占めていれば、その画像データは、ポジ傾向であると判定できる。逆に、任意の閾値以上の輝度成分を有する画素がヒストグラム対象全画素のうち半分未満であれば、その画像データは、ネガ傾向にあると判定できる。
【００９１】
なお、実施例１では、画像解析の内容について特に限定しない。したがって、たとえば参照画像データのＥｘｉｆタグを参照し、撮影シーンや露出、シャッター速度等の撮影情報について解析するようにしてもよい。たとえば、上記ヒストグラムを作成する処理をすることができない構成のＭＦＰ１００であっても、撮影情報等のＥｘｉｆタグ解析から画像の特徴を判別することが可能である。
【００９２】
また、他の解析処理によって、顔検出等のパターン認識解析を行うようにしてもよい。パターン認識解析からも、参照画像の特徴を判別することができる。
【００９３】
次に、Ｓ４４では、Ｓ４３で行った解析処理の結果を通知するか否かを判定する。Ｓ４４の画像解析結果通知判定も、Ｓ４２の画像解析処理判定と同様に、ユーザからの選択や、装置固有の設定等の条件基準から判定される。実施例１では、画像解析結果を通知する判定を常に行う仕様である。
【００９４】
Ｓ４４で画像解析結果の通知を行う判定がされると、Ｓ４５で、画像解析結果を通知する。
【００９５】
次に、実施例１における解析結果の通知について説明する。
【００９６】
実施例１において、解析結果の通知方法については特に限定しない。実施例１では、解析結果の通知方法は、表示部１に表示することによって通知する表示通知方法と、描画合成印刷指示シートＳＨ１に印刷することによって通知する印刷通知方法との２つがある。
【００９７】
図９は、実施例１において、描画合成印刷指示シートに、解析結果を印刷することによって、解析結果を通知した場合における描画合成印刷指示シートＳＨ２を示す図である。
【００９８】
実施例１では、画像解析結果を表示する場合、Ｓ４４の判定後に、解析結果通知画面５２に示すように、解析結果を画面上に表示する。実施例１では、ヒストグラム解析による輝度分布図と、Ｅｘｉｆタグ解析による撮影シーン情報が表示されている。
【００９９】
また、描画合成印刷指示シートＳＨ２に画像解析結果を印刷する場合、図９の解析／補正結果通知エリア６０に、画像解析結果を印刷する。解析／補正結果通知エリア６０にも、図８に示す解析結果通知画面５２と同様に、ヒストグラム解析による輝度分布図と、Ｅｘｉｆタグ解析による撮影シーン情報とが印刷されている。
【０１００】
なお、実施例１では、画像解析結果を通知するタイミングについては特に限定しない。
【０１０１】
次に、Ｓ４６で、参照画像にどのような画像補正処理を行うのか、または行わないのかを判定する。ここでの画像補正は、描画合成印刷指示シートＳＨ１に印刷する参照画像に行う画像補正である。
【０１０２】
実施例１では、Ｓ４３で画像解析された結果、参照画像がポジ傾向の画像データであれば、濃度を落とす画像補正のみを実行する判定をする。もし、Ｓ４３で解析された結果、参照画像がネガ傾向の画像データであれば、ネガポジ反転処理と濃度を落とす処理とを実行するかどうかという判定を行う。
【０１０３】
なお、Ｓ４６での判定基準について、実施例１で特に限定はしない。たとえば、Ｓ４６での判定基準として、ユーザからの指示を加えたい場合、図８に示す補正問合せ画面５１に示すように、参照画像に補正を行うか否かを問う選択肢を表示し、ユーザからの指示を受けるようにしてもよい。また、補正を促す画面５３に示すように、装置が推奨する内容を、補正問合せ画面５１を表示する前に表示するようにしてもよい。
【０１０４】
また、ＭＦＰ１００の仕様に依存して、常に画像補正するか、または常に画像補正しないかの判定を、Ｓ４６で実行するようにしてもよい。
【０１０５】
Ｓ４６で、画像補正を行うかどうかを判定し、Ｓ４６で、画像補正の要求があれば、Ｓ４７で、参照画像データに画像補正処理を行う。
【０１０６】
実施例１では、たとえば濃度を低くする画像補正処理が要求されていれば、その処理を行う。具体的には、参照画像データの全画素の輝度成分のそれぞれについて、一定の除算を行うことによって、濃度を低くする。また、ネガポジ反転処理が要求されていれば、輝度成分を反転させる処理を全画素に行う。
【０１０７】
実施例１では、画像補正の内容について特に限定しない。パターン認識によって人物以外の背景を消去するように補正処理してもよい。
【０１０８】
つまり、上記実施例における画像補正処理手段は、上記画像データの画像サイズ、解像度、濃度、輝度、彩度、トリミングのうちの少なくとも１つを補正する手段の例である。
【０１０９】
次に、Ｓ４８で、画像補正結果を通知するか否かを判定する。
【０１１０】
実施例１では、補正結果を常に通知するように設定するが、上記判定基準については、実施例１では特に限定しない。
【０１１１】
Ｓ４８で、画像補正結果を通知する判定がされると、Ｓ４９で、画像補正結果を通知する。
【０１１２】
実施例１では、画像解析結果の通知方法と同様に、たとえば、図８に示す補正内容通知画面５４に示すように、画面表示によって、画像補正結果を通知するようにしてもよい。また、描画合成印刷指示シートＳＨ２において、解析／補正結果通知エリア６０を印刷することによって、画像補正結果を通知するようにしてもよい。
【０１１３】
また、画像補正処理が行われなければ、何も通知しなくてもよい。または、画像補正を行っていない旨を通知するようにしてもよい。
【０１１４】
なお、Ｓ４９の画像補正内容の通知タイミングは、特に限定しない。したがって、補正処理（Ｓ４７）を実行する直前に、既に確定している補正内容を表示するようにしてもよい。
【０１１５】
上記ステップＳ４１〜Ｓ４９の処理によって、図５で説明した参照画像４０〜４５のような参照画像の補正処理を、ユーザの嗜好やＭＦＰ１００のスペック内容、機能仕様等に応じて、柔軟に対応を切り替えることができる。
【０１１６】
図６に示すＳ１３で、参照画像の画像処理が完了すると、Ｓ１４で、上記任意の画像補正を行った参照画像を用いて、描画合成印刷指示シートＳＨ１を印刷する。
【０１１７】
なお、実施例１では、描画合成印刷指示シートＳＨ１を印刷する処理内容については、限定していない。たとえば、描画合成印刷指示シートＳＨ１を、ＭＦＰ１００のＲＡＭ１２に予め作成し、この作成されたレイアウトに従って形成されたＲＡＷ画像（ＲＧＢ各８Ｂｉｔ）を、ＭＦＰ１００の画像処理部１４が、印刷可能な印刷ファイルに変換する。
【０１１８】
上記のように、図６に示すＳ１１〜Ｓ１４の処理によって、描画合成印刷指示シートＳＨ１を印刷するステップＳ１０が完了する。
【０１１９】
＜描画合成印刷指示シートＳＨ１記入（Ｓ２０）＞
Ｓ１０で作成された描画合成印刷指示シートＳＨ１に、ユーザの記入作業が行われる。
【０１２０】
描画合成印刷指示シートＳＨ１に、ユーザが記入する場合、実施例１では、合成描画指示エリア３３に、手書き文字の「初！夜遊び」等のメッセージが記入された。
【０１２１】
＜描画合成印刷指示シートＳＨ１解析印刷（Ｓ３０）＞
次に、Ｓ２０で記入した記入済み描画合成印刷指示シートＳＨ１を、Ｓ３０で、ＭＦＰ１００が解析処理し、解析した内容に従って合成印刷を行う。
【０１２２】
まず、図６に示すＳ３１で、描画合成印刷指示シートＳＨ１を読取部４が読み取る。描画合成印刷指示シートＳＨ１の詳細な読み取り動作については、本発明では限定していない。たとえば、実施例１では、描画合成印刷指示シートＳＨ１を解析するに必要十分な解像度で、読み取り画像メモリに、ＲＧＢ各８Ｂｉｔのカラーデータとして読み取る。
【０１２３】
次に、Ｓ３２で、読み取った描画合成印刷指示シートＳＨ１を解析する。実施例１では、読み取った画像が、描画合成印刷指示シートＳＨ１であるか否かを判別する方法については、限定していない。実施例１では、描画合成印刷指示シートＳＨ１の固有の予め決まった特徴点（特徴画素）が、上記画像メモリに記憶した画像から検出できるか否かに基づいて、描画合成印刷指示シートＳＨ１を判別する。
【０１２４】
また、Ｓ３２で、印刷指示エリア３１も解析する。実施例１では、印刷指示エリアの解析方法については、限定していない。実施例１では、印刷指示エリア３１には、マークシート方式が採用されているので、予め決められた座標のマークエリアに、一定以上の濃度の画素が検出された数量によって、マークの塗りつぶしを判別する。
【０１２５】
また、Ｓ３２で、バーコードエリア３２も解析する。実施例１では、バーコードエリア３２の解析方法については、限定していない。Ｓ３２で、合成描画指示エリア３３も解析する。実施例１では、合成描画指示エリア３３の解析方法については、限定していない。実施例１では、合成描画指示エリア３３内の描画画像データのみを解析し、抽出する処理を行う。また、たとえば、合成描画指示エリア３３のみを、高解像度のカラーモードで再度読み取るようにしてもよい。
【０１２６】
次に、Ｓ３３で、合成描画指示エリア３３に描画されている描画画像と、参照画像とを合成処理する。実施例１では、合成処理について特に限定しない。Ｓ３４で、作成された合成画像データが印刷され、描画合成印刷指示シートＳＨ１の解析処理Ｓ３０が完了する。
【０１２７】
ステップＳ１０、Ｓ２０、Ｓ３０に従って、ユーザは、シートスキャン方式によって手書きした描画画像を、任意の参照画像データと合成し、所望の印刷条件で印刷することができる。
【０１２８】
実施例１によれば、装置の様々な構成、ユーザの嗜好に応じて、参照画像の解析処理や補正処理の実行、非実行を、柔軟に切り替えて参照画像を作成することができる。この結果、ＭＦＰの特徴を生かしたシートスキャン方式による写真プリントの機能において、描画合成印刷指示シートＳＨ１をより使いやすいシートにすることができる。
【図面の簡単な説明】
【０１２９】
【図１】本発明の実施例１であるＭＦＰ（画像処理装置）１００を示す外観図である。
【図２】ＭＦＰ１００の構成を示すブロック図である。
【図３】実施例１の動作の概要を示す図である。
【図４】ＭＦＰ１００が印刷する描画合成印刷指示シートＳＨ１を模式的に示す図である。
【図５】参照画像の様々な形態について説明する模式図である。
【図６】実施例１において、シートスキャン方式の描画合成印刷の処理開始から処理終了までの全体的な動作を示すフローチャートである。
【図７】実施例１における描画合成印刷指示シートＳＨ１用の参照画像データ作成処理（Ｓ１３）を詳細に示すフローチャートである。
【図８】実施例１において使用する解析問合せ画面、補正問合せ画面、解析結果通知画面等の例を示す図である。
【図９】実施例１において、描画合成印刷指示シートに、解析結果を印刷することによって、解析結果を通知した場合における描画合成印刷指示シートＳＨ２を示す図である。
【符号の説明】
【０１３０】
１００…ＭＦＰ、
１…表示部、
２…操作部、
３…カードインタフェース、
４…読取部、
５…記録部、
１０…ＣＰＵ、
１４…画像処理部、
２２…メモリカード画像データ、
２３…合成印刷結果、
ＳＨ１…描画合成印刷指示シート、
３１…印刷指示エリア、
３２…バーコードエリア、
３３…合成描画指示エリア、
６０…解析／補正結果通知エリア。
【図１】
2008028962.tif 000003
【図２】
2008028962.tif 000004
【図３】
2008028962.tif 000005
【図４】
2008028962.tif 000006
【図５】
2008028962.tif 000007
【図６】
2008028962.tif 000008
【図７】
2008028962.tif 000009
【図８】
2008028962.tif 000010
【図９】
2008028962.tif 000011